(57)【要約】【課題】イヤホンコード、テーブルナプキン、オーナメント等々、多種類物品の1つを時と場合によって選択し保持するハイブリッド保持具に関し、軽薄短小のうちの1つ以上を成し得る多機能を有するハイブリッド保持具を提供する。【解決手段】蟹鋏開閉式第1クリップ（第1移動体と第２移動体）の側壁から立ち上(下)がる幅広の壁に沿ってスライド回転する第２クリップ（第1移動体或いは第２移動体と第３移動体）を設けた。さらに前記幅広の壁である第１幅広部と第２幅広部とが対面しながらスライドするスライド領域とスライド領域外の幅広部を前記第１又は第２幅広部に含み、前記第１幅広部の前記スライド領域外の幅広部又は第２幅広部の前記スライド領域外の幅広部、いずれかにオーナメント係止部を設けた。【選択図】図２
2020020434.tif 000002
【特許請求の範囲】
【請求項１】
相対的に蟹鋏開閉式に移動する第１移動体と第２移動体とこれらの移動体のいずれかに付随する第３移動体とを有し、これらの移動体は、各移動体を移動させる把持部と回動移動時に回動移動する回動部と該回動部を回動自在に連結する連結手段と前記回動部が互いに回動することで前記移動体が回動移動しこの回動移動を復帰させる移動復帰手段とを有し、前記回動部に前記連結手段を介して各移動体が回動自在に連設することで前記３つの移動体が連設体を形成し、前記各移動体の各一部を、所定の物品又はその部位を掴む挟持端面を有する挟持単片部として構成し、該挟持端面を対向配置させてそれぞれ形成したペアの挟持単片部で成る第１挟持部と第２挟持部とを前記連設体に有し、前記把持部での力の大小にて前記移動復帰手段に抗して前記２つの挟持部のそれぞれの開閉を促し、前記所定の物品又はその部位を前記2つの挟持部にて挟持するハイブリッド保持具であって、
前記第１移動体と前記第２移動体は各後部と各前部とからなり、前記第１移動体と前記第２移動体の各挟持単片部は前記各前部にそれらの端面を互いに向き合い構成として有することで前記第１挟持部を構成し、
前記第１移動部又は前記第２移動部のいずれか一方の単片部から隆盛し且つ前記第１挟持部長手方向と開閉方向に垂直な方向とに幅広に構成した第１幅広部を有し、該第１幅広部に対向する第２幅広部を前記第３移動体に設け、
前記第１幅広部と第２幅広部とに前記第２挟持部の回動部とその周辺部を形成し、第１幅広部、第２幅広部の回動部とその周辺部を互いに近接配置且つ前記把持部にてスライド回転可能に形成し、前記第２挟持部は、前記スライド回転方向と同方向に前記把持部にて開閉する挟持端面を有することを特徴とするハイブリッド保持具。
【請求項２】
前記第１幅広部と前記第２幅広部とが対面しながらスライドするスライド領域とスライド領域外の幅広部を前記第１又は第２幅広部に含み、前記第１幅広部の前記スライド領域外の幅広部又は第２幅広部の前記スライド領域外の幅広部、いずれかにオーナメント係止部を設けたことを特徴とする請求項１記載のハイブリッド保持具。
【発明の詳細な説明】
【技術分野】
【０００１】
本発明は、多用途に使用し得るハイブリッド保持具に関する。詳しくは多種類の物品を時と場合によって品を変えて複数保持する、或いは前記多種類物品の中から時と場合によって選んだ１つの物品の複数の部位を保持する保持具に関する。前記多種類物品の保持とは、例えばエアロビクス時やウォーキング時やサイクリング時の身体上部衣服へのイヤホンコード保持、ハンドメイドハンダ付け時の電子回路基板上での部品保持やそのリード線保持、食事時身体上部衣服へのテーブルナプキンホールド、身体衣服へのオーナメント保持、などである。その他の用途については本文で述べる。
【背景技術】
【０００２】
＜ 従来1＞電子部品を手作業でハンダ付けする場合、電子部品端子足やリード線を基板の所定部に当接しながらハンダ鏝でハンダ付けする。この場合、ハンダ付け部位がハンダ済部に近い場合、ハンダ済部の部品足が溶融して剥がれるか位置ずれを起こすことがある。また、上記基板が小さい場合、基板を何かで固定しないとハンダ付け時に基板が動いてしまう。この場合さらに同じ部位を同時複数ハンダ付けしたい場合など、複数部品がハンダ付け時に動いてしまって困難を極める。この作業は試作品作成時に頻繁に起こる。こう言う場合は基板を何かで固定すると同時にハンダ付け部位も前記何かで固定すればこの作業が上手くいくのではと言う期待があった。ところで、従来においてイタリア製品、イタリア/IPAC社クリッぺ(clippe) 型番:CLIP11が市販されている。この構造を簡単に説明すると洗濯バサミ型クリップを十字に構成したものである。この構造を小型にして挟持部を端子専用保持構造に改良すれば、この道具を用いて、上記の作業を一応は行うことが可能であろう。
【０００３】
＜ 従来２＞イヤホンを耳に挿入して使用している時、静止して聞いている場合はあまり不都合はないが、ダンスしながら音楽を聞いたり、ウォーキング、ランニング、サイクリングしながら音声媒体を聞く場合(動体聞と言う)は、落下防止機能の付いた特別なイヤホンが必要である。それについてはクリップ付きイヤホンコードを有するイヤホンがある。その他C型イヤホンと言うのもある。（それは高価である。落下防止機能無しの安価なイヤホンで動体聞するとイヤホンが位置ずれしたり、耳から外れることがある。これを防止するためクリップ機能の付いたクリップ装置(保持具)が望まれている。）上記はイヤホン落下防止専用である。落下防止観点からさらにサーチすると、「はだけんじゃー」と言う商品名で市販されている襟元のはだけ防止クリップがある。これは洗濯バサミ型であって、クリップを２つ互いに対向して共通板体に表裏1個ずつ構成したものである。これを用いてイヤホンコードを保持しようとすればできなくはない。よってイヤホン脱落防止を遂行することができると推定する。しかしこの商品は襟元のはだけ防止専用である。
【０００４】
＜ 従来３＞
一方装身具、アクセサリーの分野でループタイと言うのがある。このループタイには身体の装飾以外に別部品を保持するクリップ機能部を持ったものは知られていない。但しルーフタイ紐をより不動にするためのクリップ部又は鉤部を備えたループタイは知られている。
さらに、上記ループタイに関連する技術として音響信号発生器そのものをループタイとするものが特開２００６−２５４２３９において知られている。この技術はこの発生器即ちループタイにイヤホンを接続するものである。そのためイヤホンジャック部を内蔵した音響信号発生器を含んでいる。従ってループタイとしてみた場合、嵩張る。クリップ部はなく、ループタイ型である。
【０００５】
＜ 従来４＞
ネクタイピンの分野でタイタック（ｔｉｅ  ｔａｃｋ）と言うボタン型ネクタイピンがある。ネクタイピンやタイタックを含め、オーナメントの分野で身体を装飾すると言う用途以外に多機能を有するものは知られていない。仮にあったとしても軽薄短小を実現せず違和感を払拭していないであろう。参考までにクリップ型ネクタイピンの従来として特開平９−１９１９０７では鉤型クリップが示されているが、蟹挟み型クリップは1つであってネクタイを係止する部分に片持ちバネのようなものが用いられている。
以上のことを構造的にまとめると、1つの小型保持具で複数の保持機能(保持する部分が２以上あること)を有するものはあった。
【先行技術文献】
【特許文献】
【０００６】
【特許文献１】特開２００６−２５４２３９号公報
【特許文献２】特開平９−１９１９０７公報
【発明の概要】
【発明が解決しようとする課題】
【０００７】
しかし、従来の保持具では保持する対象が限られていた。保持具である以上前記対象外のものも保持することができるはずであるが、対象外の物体を保持した場合、様々な不都合が生じる。重厚長大のいずれか又はその複数、あるいは不格好等不都合があった。そこで本発明は上記従来技術の問題や課題を解決するためになされたものであり、その目的は、多用途に使用し得るハイブリッド保持具を提供することにある。平たく言うと例えば、ハンダ付け時の部品保持にも、身体装着を前提にしたイヤホンコード保持にも、食事時身体上部衣服へのテーブルナプキンホールド、その他明細書記載の保持にも（カップ麺の湯入れ後の蓋重し、小型マイクの保持やＬＥＤの保持にも）使用することができ、しかも複数の使用例に際し違和感なく使用し得るハイブリッド保持具を提供することにある。さらにタイタック等オーナメント保持にも拡張し得る構造を提供する。
【０００８】
従ってこの発明の最もポピュラーな使用例は身体衣服装着であると言える。胸元ボタン部に保持具を保持しておけばこの保持具で各種場面に応じてイヤホンコード、テーブルナプキン等の保持対象を適宜変更し得る。従って胸元ボタン部保持の形態に相応しい構造、即ち軽薄短小の少なくともいずれか1つを成し得る構造の提供と言えるかもしれない。
さらにまた実験道具の補助具としての被験具や、被検具を保持する道具に使用し得る保持具を提供することにある。例えば被験具や、被検具を扇風機羽の前で保持したり、実験液の上や中で宙吊りの状態で保持したりすることに使用する等実験補助具をも提供できる。
【課題を解決するための手段】
【０００９】
本発明請求項１記載のハイブリッド保持具は、「相対的に蟹鋏開閉式に移動する第１移動体と第２移動体とこれらの移動体のいずれかに付随する第３移動体とを有し、これらの移動体は、各移動体を移動させる把持部と回動移動時に回動移動する回動部と該回動部を回動自在に連結する連結手段と前記回動部が互いに回動することで前記移動体が回動移動しこの回動移動を復帰させる移動復帰手段とを有し、前記回動部に前記連結手段を介して各移動体が回動自在に連設することで前記３つの移動体が連設体を形成し、前記各移動体の各一部を、所定の物品又はその部位を掴む挟持端面を有する挟持単片部として構成し、該挟持端面を対向配置させてそれぞれ形成したペアの挟持単片部で成る第１挟持部と第２挟持部とを前記連設体に有し、前記把持部での力の大小にて前記移動復帰手段に抗して前記２つの挟持部のそれぞれの開閉を促し、前記所定の物品又はその部位を前記2つの挟持部にて挟持するハイブリッド保持具であって、
前記第１移動体と前記第２移動体は各後部と各前部とからなり、前記第１移動体と前記第２移動体の各挟持単片部は前記各前部にそれらの端面を互いに向き合い構成として有することで前記第１挟持部を構成し、
前記第１移動部又は前記第２移動部のいずれか一方の単片部から隆盛し且つ前記第１挟持部長手方向と開閉方向に垂直な方向とに幅広に構成した第１幅広部を有し、該第１幅広部に対向する第２幅広部を前記第３移動体に設け、
前記第１幅広部と第２幅広部とに前記第２挟持部の回動部とその周辺部を形成し、第１幅広部、第２幅広部の回動部とその周辺部を互いに近接配置且つ前記把持部にてスライド回転可能に形成し、前記第２挟持部は、前記スライド回転方向と同方向に前記把持部にて開閉する挟持端面を有する」ことを特徴とする。前記「隆盛」は立ち上がることを意味するが、該保持具は取り付け部や取り付け対象が多義にわたるので立下がることをも含んでいる。従って、隆盛は伸長と言い換えてもよい。
【００１０】
本発明請求項２記載のハイブリッド保持具は、「前記第１幅広部と前記第２幅広部とが対面しながらスライドするスライド領域とスライド領域外の幅広部を前記第１又は第２幅広部に含み、前記第１幅広部の前記スライド領域外の幅広部又は第２幅広部の前記スライド領域外の幅広部、いずれかにオーナメント係止部を設けた」ことを特徴とする。
【００１１】
さらに、前記請求項１又は２では「前記連設体において前記第１挟持部及び第２挟持部を構成する２ペア挟持単片部がそれぞれ回動移動する時スライドガイド部を前記第１挟持部又は第２挟持部のいずれか１つ又はその両方に対応して設けたことを特徴とするハイブリッド保持具」を含んでいる。図２のＣＣ、図９のＧ１、図１０のＮＡ、図１１のＥ１＆Ｅ２参照。
【００１２】
さらにまた、前記請求項１又は２では「前記移動復帰手段は前記２ペア挟持単片部がそれぞれ復帰するためにそれぞれ設けられるが、これを１つにまとめた連設一体形成の移動復帰手段として形成されていることを特徴とするハイブリッド保持具」を含んでいる。図９参照。
【発明の効果】
【００１３】
本発明は次のような効果を奏する。
請求項１に記載されている発明は、簡単に言えば第1クリップ（第１挟持部）の側壁から立ち上(下)がる幅広の壁に沿ってスライド回転する第２クリップ（第２挟持部）を設けたので、第１クリップ開閉方向に幅狭構成にすることができる。その構成ゆえに衣服ボタン部の重なり部の奥襟にて隠れるように保持することができる。そのうえで、ランニング、サイクリング時に外れることがないイヤホンコードを中間部で保持することができる。さらにテーブルナプキンホールドも可能となっている。この場合、保持具を隠す必要がないのであれば、１８０度回転させて第1クリップで表襟を保持し、第2クリップでテーブルナプキンホールドすることができる。半田付け時の電子部品リード線と基板保持を同時に保持しつつ、半田付けを行うことができる。このような多機能保持を可能にしたハイブリッド保持をし得る本発明の効果は絶大である。
【００１４】
請求項２に記載されている発明は、簡単に言えば第２クリップの挟持端面部以外のスライド面を幅広形成にしつつ、スライド時重ならないいずれかの面にオーナメント係止部を設けたので、タイタックのピン止め部として本発明の保持具を使用することができる。具体的には、オーナメント部ＯＮ、衣服（襟）ＦＭ又はネクタイ、本件保持具ＨＢＨ（ＯＰ）、タイタックのピン止め部ＰＳ、の順に保持することによって、外出時のお洒落として違和感なく本件保持具を所持することができる。ネクタイ使用時はもちろんのこと、ネクタイ使用時でなくても、カジュアルルックの上着にて、オーナメント装着し、食事の時などに相手からの「なにそれ？」と言う会話から、テーブルナプキンホールド使用を行えば、会話が弾む。違和感なく外出時所持を可能にしたのは、前記幅狭構成にしたからである。実施例的には軽薄短小全て可能に構成した。
【図面の簡単な説明】
【００１５】
【図１】本発明ハイブリッド保持具の使用例の一例を示す図であって、該保持具を身体上の上着胸元前立に取り付けた状態を示す図である。
【図２】本発明の一実施の形態（第１実施例）に係るハイブリッド保持具１を示す斜視図であって、右肩をやや前方に向けた人物の胸ボタン部ＢＴ（裏前立てＵＭ）に取り付けた該保持具を正面から見ている図と等価である。
【図３】図２の第１回転軸断面を矢視Ｗから見た部分断面図であって、第１回動部（第１回転軸部）Ｒ１の断面図である。
【図４】本発明該保持具を下から見た下面図である。
【図５】本発明該保持具の第２実施例であって、図１（ａ）の状態で正面からその保持具を見た一部断面図である。
【図６】本発明該保持具の第３実施例であって、身体取り付け時、内側から外側に向かって描いた一部断面斜視図である。
【図７】本発明該保持具の第４実施例を示す正面図（図１と同じ取り付け状態）である。第１回動部ＲＲについては、断面図でなく身体に装着した正面から見た図として描いているので、第２実施例（図５）の第１回動部軸構造図でもある。
【図８】本発明の一部を構成する挟持単片部ｆ１、ｆ２からなる第２挟持部の様々な変形例を示した図である。
【図９】本発明の第５実施例を示す図であり、図９（ａ）は人物の右後上から左前下方向に保持具のみを見た後ろ斜め方向斜視図である。図９（ｂ）は復帰バネのみを示した図、図９（ｃ）は第２回動部Ｒ２Ｅ近辺を示した断面図、図９（ｄ）は多機能ガイド部Ｇ１の構造及びガイド時の周辺部材がそれぞれ移動する様子を表した図である。
【図１０】図２を天地逆にして描き、把持部部分が多機能を有する構造に変形されている部分斜視図であり、該両把持部を指で押圧して第１、第２移動体が開ききった開きマックス状態を示す斜視図でもある。
【図１１】図１１は第６実施例であって、図２を原型としつつ第１挟持部を開閉する把持部（Ｈ１、Ｈ２）や第２挟持部とその周辺部を改良した変形例示す分解斜視図である。わずかな部品を不図示とすることで分かり易く描いた。
【発明を実施するための形態】
【００１６】
以下、本発明の実施形態（実施例と言う）につき図面を参照して説明する。この発明では複数の実施例が示されており、それら順を追って説明するが、図１はこの発明の保持具の代表的な装着使用例を示すものである。図１（ａ）は、本発明の一実施の形態に係る保持具ＨＢＨを身体上部上着（例えばポロシャツ）ＵＷに取り付けて使用する図であり、上半身正面図であって、全ての実施例に適用される。前立てに隠された図示しない該保持具に係止されたイヤホンコードＥＣが両耳と音声／音楽再生機ＲＥＣとに接続されて示されている。図１（ｂ）は、第１実施例の保持具ＨＢＨ１を装着した拡大図であり、表前立てＦＭをめくって示しており、表前立てＦＭを元に戻して第２ボタンＢＴ２を掛ければａ図のようになり、正面から見ると、保持具を付けていることがほとんど分からないようになっている。図１（ｂ）は他の実施例でも同様な装着となる。
【００１７】
＜第１実施例＞
図２は、本発明の一実施の形態（第１実施例）に係る保持具ＨＢＨ１を示す斜視図である。右肩をやや前方に向けた人物の胸ボタン部ＢＴ（正確には裏前立てＵＭ）に取り付けた保持具ＨＢを正面から見ている図と等価である。図３は、図２の第１回転軸断面を矢視Ｗから見た部分断面図であって、第１回動部（第１回転軸部）Ｒ１の断面図である。図４は、該保持具を下から見た下面図である。一点鎖線の想像線で示したものはオーナメント付きのタイタックＴＴであり、前記保持具にこれを取り付けたとしたらこの図のような配置になる。この保持具の主な使用例としては図１に示すように胸ボタン部ＢＴのボタンＢＴ２とボタンＢＴ３との間に後述の第1挟持部で取り付けて使用する。タイタック保持の場合は近傍のボタンは外して取り付けてもよいし、間隔をあけるなら外さなくてもよい。このほかの部位や他の部材に該保持具は取り付けることも当然できる。この保持具は主に各々相対的に移動し得る３つの移動体１、２、３からなり、アルミニウムの板材を切断折り曲げ加工にて３つの移動体各形状を作成するが、樹脂で型形成してもよい。一部の移動体を鉄製や、真鍮で形成してもよい。該移動体の移動は具体的には軸回転移動であるが、挟持する部分によっては平行移動する。よって移動体と言う名称にした。
【００１８】
この保持具は、図２を矢視ＣＳ１から見た断面が反転Ｌ字に見える第１移動体１と矢視ＣＳ２から見た断面が反転Ｌ字に見える第２移動体２とＹ方向に見て略Ｉ字状又は略р字状の第３移動体３を有している。第１移動体１と第２移動体２とは第１回動部Ｒ１で結合手段である回転軸部品（ネジ）Ｕ１を介して回動自在に連接し連設する連設体ＡＳを形成する。回動部のある側を後部、反対側を前部又は先端部と言う。前記第１移動体１と第２移動体２の後部１Ｒ、２Ｒは略Ｉ型板状に形成され、それぞれ後端部に軸体(ネジ)Ｕ１を連通する孔Ｓ１、Ｓ２が設けられる。外側の第２移動部側から該孔にネジＵ１（結合手段）を挿通し、内側のネジの出っ張りに移動復帰手段としてのコイルバネＣＢの中心部（コイル部）を挿通して雌ネジ体Ｕ１２で回動自在に第１移動体１と第２移動体２とを連設する。雌ネジ体Ｕ１２は正方形又は長方形で形成され、その側端面は第２移動体２の後述する壁部２１の内側に対向又は軽く接するように配置される。よって連設状態で雌ネジ体Ｕ１２は回転せず、脱落防止されている。前記コイルバネＣＢの一端８２は第１移動体１の凹部状バネ係止部ｊｊに、他端８１は第２移動体２の孔状バネ係止部ｋｋに係止する。
【００１９】
第１移動体１及び／又は第２移動体２は夫々I型後部１Ｒ、２Ｒから直角に折曲した前部又は先端部１Ｆ、２Ｆを連設している。１Ｒ＋１Ｆ＝１、２Ｒ＋２Ｆ＝２、１Ｆ＋２Ｆ＝Ｃ１Ｆと言う関係性を有している。この前部又は先端部Ｃ１Ｆは第１挟持部として形成するとともに、その内側で所定の物品又はその部位を掴む挟持部の挟持単片部のペアＣ１Ｆとして構成される。前記２つの前部又は先端部＝前記２つの挟持単片部＝Ｃ１Ｆと言う関係性を有している。該ペア挟持単片部Ｃ１Ｆの挟持端面同士Ｃ１１、Ｃ１２を対向配置するよう前部又は先端部の内側を互いに削ったような形状に形成する。このようにして形成された連設体ＡＳはあたかも２つの断面Ｌ型部材を内向きに重ねたような構造をしている。
【００２０】
しかしながら、Ｌ型部材を内向きに重ねただけでは前記挟持単片部の挟持端面同士を対向配置できないので、第１移動体１及び／又は第２移動体２の前部又は先端部１Ｆ、２Ｆのいずれか一方（１Ｆ又は２Ｆ）を厚み分だけ偏位形成する。金属形成では曲げ加工、樹脂形成では前記曲げ加工に似せて金型で形成する。あるいは先端部１Ｆの厚みを２Ｆの２倍にすれば挟持端面同士Ｃ１１、Ｃ１２を対向配置するのに上記の偏位形成はしなくて済む。２つ重ねのＬ型部材後部に回転軸を設けた回転体では先端部又は前部の折れ曲がり部に相当する部分は回転につれて互いに平行移動する。この実施例でも同様に軸回転につれて前部同士（１Ｆと２Ｆ）が平行移動する。この前部を平行移動させるために前記移動復帰手段であるバネＣＢに抗して偏位する各移動体１、２と連動の２つの把持部Ｈ１、Ｈ２が設けられる。内側配置の第１移動体１の把持部Ｈ１はその前部における後部との接続部近傍下側から折曲形成して紙面の向こう側（矢視Ｘ方向から見て左側）から垂下形成する。外側配置の第２移動体の２把持部Ｈ２はその前部における後部との接続部近傍下側から矢視Ｘ方向から見て右側に折曲しその後垂下形成する。
【００２１】
第１移動体１の前部中間部に外側（矢視Ｘ方向から見て右側）端面Ｔ１から第３移動体３を立ち上げ形成するためのベースとなる部位、即ち第１移動体の先端部側壁から軸部又は後端部の高さｈｈまで立ち上がる壁部１１（第１幅広部）を形成する。端面Ｔ１から部材を突出させて折り曲げる代わりに樹脂形成では端面Ｔ１から横に出っ張ることなく端面Ｔ１の上に壁部１１を突出形成してもよい。前記壁部１１（第１幅広部）は第２移動体の先端部側外壁から上に立ち上げ形成してもよい。この場合後述の壁部２１は第１移動体１の側壁に連設する。該壁部１１は先端部の立ち上がり方向ＺＺと長手方向ＸＸとに広がる面を有する。従って前記壁部１１は幅広部（第１幅広部と言う）となっている。即ち端面Ｔ１から第１挟持部長手方向に垂直で且つ前記第１挟持部挟持開閉方向に垂直な方向に隆盛し且つ前記第１挟持部長手方向に幅広の幅広部として第１幅広部を設け、この幅広の面を利用してその内側面に対向配置してスライド回転するような壁部対応部（第２幅広部３Ｗと言う）を設ける。即ち一方の挟持単片部を有する第１幅広部（１１）に対向して他方の挟持単片部を有するスライド回転可能な前記第３移動部３を設けると共に第１幅広部（１１）の対向部として該第２幅広部３Ｗを第３移動体に設けている。以上の構成によって、この壁部対応部３Ｗは第３移動体３の大部分を形成することとなる。
【００２２】
前記壁部１１又幅広部と前記壁部対応部との重なり部に、例えば高さ方向全長の下から約１／３程度のところ（位置Ｊ）に回転軸部Ｒ２を設ける。第２回動部（第２回転軸部）Ｒ２は、軸体(ネジ)Ｕ２を連通する孔ｖｖが前記壁部１１又幅広部の位置Ｊに設けられ、位置Ｊに対応する第３移動体３の対応部Ｋに孔ｖｘが設けられ、壁部１１の外側から該孔にネジＵ２（結合手段）を挿通し、内側のネジの出っ張りに移動復帰手段としてのコイルバネＣＢ２の中心部を挿通し、さらに雌ネジ体Ｕ１３（図示せずだがＵ１２と等価）へも羅着することで、第１移動体１の壁部１１と第３移動体３とを回動自在に連設する。上記の文章に付き図３を第２回動部の断面端面図としてみた場合、２Ｒ＝１１、１Ｒ＝３、Ｕ１＝Ｕ２、ＣＢ＝ＣＢ２、Ｕ１２＝Ｕ１３、Ｓ１＝ｖｖ、Ｓ２＝ｖｘに読み替えれば、構造的に同じである。保持具を少しでも薄く形成するため第３移動体３は鉄板を用いて第３移動体３の板厚を１又は２より少し薄く形成した。
【００２３】
連設時に前記コイルバネＣＢ２の一端ｂ１を壁部１１のバネ係止部ｍに、他端ｂ２を第３移動体３のバネ係止部ｎに係止する。該バネ係止部ｎは第３移動体３の先端部に設けた挟持単片部の挟持端面外側の端面の一部である。前記第３移動体３は先端部Ｃ２Ｆを挟持単片部として形成し、後端部を把持部Ｈ３として形成する。把持部Ｈ３の軸寄り部は板状部材をコ字状切り欠き部ｋＶのように切り欠いて細身形成とし、圧着部Ｈ３１は板状部材を折曲し太見形成する。前記先端部Ｃ２Ｆは軸寄りに幅広のスライド安定面部１１１も備えている。壁部１１と第３移動体３とは軸部面を含む幅広部を幅広にしたがゆえに安定してスライド回転する。前記第３移動体３の先端部に設けた挟持単片部の挟持端面Ｃ２Ｔと第１移動体１（幅広部１１）の第２先端部に設けた挟持単片部の挟持端面Ｃ１Ｔとは前記第３移動体３の先端部を断面Ｌ字に折曲形成することでバネＣＢ２によって当接する。前記第３移動体３の先端部に設けた挟持単片部と前記第１移動体１（幅広部１１）の第２先端部に設けた挟持単片部とで第２挟持部を構成している。
【００２４】
挟持端面Ｃ１Ｔと挟持端面Ｃ２Ｔとが当接した状態から第２挟持部各端面の開口操作は前
記把持部Ｈ３の圧着部Ｈ３１と前記把持部Ｈ２の圧着部Ｈ２１を指で押圧することで行われる。第１挟持部Ｃ１の各端面開口操作は前記把持部Ｈ１の圧着部Ｈ１１と前記把持部Ｈ２の圧着部Ｈ２１を指で押圧することで行われる。つまり前記把持部Ｈ２が２つの把持部を共用している。前記挟持端面Ｃ１Ｔ、Ｃ２Ｔが当接した状態で前記把持部Ｈ１、Ｈ２の内側面Ｈ１２、Ｈ２２同士は第１挟持部の幅（短手方向距離）程度に離間するように形成している。従って前記把持部Ｈ１、Ｈ２の圧着動作がこの距離ゼロのところでストップする。即ち前記把持部Ｈ１、Ｈ２が第１挟持部の開きすぎ防止部として機能している。尚且つ前記移動復帰手段（バネ）ＣＢの開き過ぎによる弾性復帰力低下防止機能も該把持部Ｈ１、Ｈ２が受け持っている。
【００２５】
このように構成した保持具では、1つの使用例として例えば第１挟持部で衣服の胸ボタン部（前立て）ＢＴの折込み重なり部裏前立てＵＭを挟持し、第２挟持部で胸ポケットに収納した電子機器からのイヤホンコードを保持する。この場合イヤホンコードは服の外から導かれボタン部内の第２挟持部を介し衣服の外に導かれ耳へと向かう。コード保持状態ではコードによって保持具の重心が右（第１回動部Ｒ１）寄りに形成されていても比較的安定する。しかし、この発明ではイヤホンを使用しない場合でも携帯し、他の用途に備えることも考えているので、イヤホン不使用時でも安定保持できるようにしている。それが第１挟持部と第２挟持部との相対的配置と第２挟持部の先端部構造に配慮されている。
【００２６】
第２挟持部の先端部即ち幅広部１１の先端部を切り欠いて切り欠き部１１２とし、この辺をボタン横斜め下に対向するように第１挟持部で衣服の裏前立てＵＭを挟持する。保持具身体取り付け時、図２においてボタンが左、切り欠き部１１２が右と言う配置である。このようにすると保持具が図２のような重心偏芯構造であっても回転（図２において時計回り方向回転）しにくい。さらにイヤホンコード保持時ではコードの重みで左回転しようとしても先端部Ｃ２Ｆがボタンに当接するようになるのでこちらの方向にも脱落しにくくなっている。このように拡張幅広部１１１は保持部を安定的に使用し得る効果がある。また、上記２点（第１挟持部Ｃ１と切り欠き部１１２）保持によると、脱落しない範囲で前記移動復帰手段のバネ力を弱めることができ、衣服装着時の衣服を傷め難くすることができる。
【００２７】
さらに拡張幅広部１１１には更なる拡張機能を設けるようにしてもよい。その構成とは拡張幅広部１１１中間部に貫通孔ＯＰを設けるようにしたことである。この孔はネジ孔でもよい。衣服表前立てＦＭの前方からオーナメントであるボタン型ネクタイピン（タイタック）の針を通し、孔ＯＰ、裏前立てＵＭを貫通させて、その針の先端をタイタックの針留め具（図示せず）で係止する。留め具なしで針にネジを切って、前記孔に螺着してもよい。こうすることにより、おしゃれができる。
【００２８】
次に前記留め具の後側に位置する壁部２１について説明する。これはもし設けるとすれば前記第２移動体２のI型後部に直角に隣設するか又は前部（先端部）に直角に隣設するか、あるいはその両方に隣設してもよい。形成方法は金属板の曲げ加工、樹脂形成いずれでもよい。機能的には強度的な補強材であると共に、衣服装着時の身体へのプロテクタ（保身）であり、衣服装着時の衣服への絡み防止効果部材でもある。衣服への安定的な装着が望める。該壁部２１の形状としては角を丸くした正方形又は長方形あるいは（直角）三角形でもよい。クウォータ円でもよい。なお該壁部２１の孔ＯＰ対向部は大きめの貫通孔又はΩ状透孔形状あるいは図示の貫通凹部ＫＨにするとよい。そうすることで留め具を針に装着しやすい。なお凹部ＫＳは板材で形成する挟持単片の破断防止奥部であるが、竿状紐にこの凹部ＫＳ位置で挟んで保持具を吊るし、吊るされた保持具の第１挟持部で実験用検体を吊るしたり、ダイビングのゴムブーツを吊るして乾かす、と言うような使い方もできる。テーブルナプキンを第２挟持部で挟む場合はこの凹部ＫＳがあると紙を挟むときのクリアランスになり、テーブルナプキンが脱落しにくい効果がある。
【００２９】
＜第２実施例＞
図５は衣服ボタン部ＢＴへの装着が第１実施例より確実に実行でき、イヤホンコードの装着時に装着しやすくなり、軽薄短小効果のうち「小」特にＸＸ方向を小さくすることができるようにした第２実施例である。構造的には第２挟持部と第１回動部とオーナメント保持部とボタン対向部の形状又は構造が異なっている。この実施例を図５にて示す。図５は図１ａの状態で正面からその保持具を見た図である。同一部分については同一符号の後にＤを付け足して示し、その説明を略する。第１回動部Ｒ１に相当する第１回動部ＲＲでは図２における雌ネジＵ１２が存在しない。回動部での第１移動体１Ｄと第２移動体２Ｄとの回動自在な連結構造について、次の７ステップで組み立て方法に一例を述べることによって説明する。
【００３０】
１）軸体Ｕ１Ｄは断面Ｔ型アルミリベットを使用する。２）バネ体ＣＢＤはテルテル坊主型とし、その頭部ＢＴは軸体の直径と同一かわずかに小とし、その首部ＮＫを幅狭とし、頂点ＴＰを突出形成する。３）前記軸体Ｕ１Ｄを足端ＢＫから前記頭部ＢＴに圧入し、バネ付き軸Ｕ１ＤＣＢＤとする。このバネ付き軸Ｕ１ＤＣＢＤの形成としては前記軸体Ｕ１Ｄとバネ体ＣＢＤとを接着にて一体形成してもよい。４）第２移動体２Ｄの軸部Ｓ２Ｄはプレス機にて出っ張り筒をフランジ形成し、この内径部を軸部Ｓ２Ｄとする。５）第１移動体１Ｄの軸部Ｓ１Ｄはプレス機にて打ち抜き形成又はドリル加工形成し、この内径部を軸部Ｓ１Ｄとする。ＳＤ１の内径＝ＳＤ２の外径かあるいはＳＤ１をわずかに大とする。軸Ｕ１Ｄの外径＝Ｓ２Ｄの内径とする。６）第２移動体２Ｄに第１移動体１Ｄを重ね、ＳＤ２の外径にＳＤ１の内径を嵌め合わせる。７）バネ付き軸Ｕ１ＤＣＢＤの２つのバネ端部をバネ係止部ｋｋｄ（孔）、ｊｊｄ（凹部）に係止しつつ（図２も参照）、第１移動体１Ｄの内側からバネ付き軸Ｕ１ＤＣＢＤを軸部Ｓ２Ｄに挿入または圧入する。この圧入が完了すれば、その頭部ＵＴと足端ＢＫとをハンマーやペンチ又は圧着機で圧接する。圧接によって先端は外径方向に膨張し軸Ｕ１Ｄが軸部（雌ネジ部）Ｓ１Ｄから離脱することはなくなる。
【００３１】
なお、第２回動部（第２回転軸部）Ｒ２Ｄの構造は前記Ｒ２と同じでよい。即ちＲ１とほぼ同じでよく、Ｒ１との違いはバネ端部のみが異なるだけである。このＲ２Ｄ構造はバネ端部のみが異なった第１回動部ＲＲ構造と同じにしてもよい。
上記第１回動部ＲＲの構成によると、図２で示した雌ネジ体Ｕ１２が不要となり、構成簡単になり、その分ＸＸ方向の寸法を小さくすることができる。又は第１挟持部の挟持部を有効活用することができる。ネジゆるみも発生しない。
【００３２】
第２実施例につき追加説明する。第２挟持部の構造では、ボタンを留めたとき表前立ての最外縁Ｌ１（図１ｂ）に第２挟持部の先端が極力接近する形状になっている。幅広部１１Ｄを挟持端面Ｃ１１、Ｃ１２より外側に形成するため、図２と同じように第１移動体１の第１挟持部中間部外側端面Ｔ１から立ち上げ形成する。前記幅広部１１Ｄ（第１幅広部）の先端部を鳥の上くちばしのように先端程細くなるように、第１挟持部の先端に垂直方向で並ぶようにかつ少し内側に第２挟持単片部Ｃ２Ｆ２として形成する。第３移動体３Ｄは軸部を有する中央部を点線で示すように形成し、後部を把持部Ｈ３Ｄとし、先端部を第２挟持部の一片である第２挟持単片部Ｃ２Ｆ１として鳥の下くちばしのように形成する。挟持単片部の挟持端面Ｃ１ＴＤ、Ｃ２ＴＤが常時圧接するようにするためのバネ体の端部ｂ２Ｄは、一片Ｃ２Ｆ１の外側の当接部ｎに当接させ、端部ｂ１Ｄはバネ性を高める（図示しない縦軸力ｇ対横軸変位量ｍｍバネ特性曲線の変化をなだらかにする）ため、トルクの腕の長さを稼ぐための突起片ＤＰを第一挟持体に近づけて設け、この先端部にバネ係止部ｍを凹状に形成し、これにバネ端部ｂ１Ｄを係止する。
【００３３】
オーナメント保持部（貫通孔）ＯＰは第２挟持部を鳥のくちばし（Ｃ２Ｆ１＆Ｃ２Ｆ２）
に見立てるとあたかも鳥の目に見える位置、即ち幅広部１１Ｄの上部（頭部）１１１Ｄに設けている。第２挟持単片部Ｃ２Ｆ２の上端面から上記頭部の上端面を幅広部の稜線部ＲＬと名付けると、この稜線部ＲＬと第２移動体２Ｄの壁部２２１の切り欠き部ＱＬとで連ねたいずれか高い部位のラインが、裏前立てＵＭに本発明保持具が取り付けられた場合において、ボタンＢＳ又はＢＬの下方を支えるように形成される。ＢＳは小ボタン又はＢＬは大ボタンを表す。即ち第２挟持部にイヤホンコードを保持した場合に、上着からコードのＩＮ、ＯＵＴをし易いように前記第２挟持部の先端が第１挟持部の先端Ｔに垂直方向で並ぶように形成していて、尚且つ上向きの鳥嘴の格好をしており、上くちばしに相当する斜め上向き稜線部ＲＬの構成によって、できるだけ小さく形成した保持具でありながら大小変化のあるボタンの服取り付け時に種々のボタンを避けつつ服の上下定位置で前記第１挟持部によって取り付けることができるようになっている。
【００３４】
なおボタン位置に関係なくボタンとボタンの中間位置に保持具を配置してもよい。オーナメント保持部（貫通孔）ＯＰは上記くちばし部（Ｃ２Ｆ１又はＣ２Ｆ２）に設けてもよい。図２及び／又は図５の試作品ではアルミ板厚が一円玉と同程度で形成し、２５×２５×９．５（単位ｍｍ）以内で製造することができた。前述のように裏前立てＵＭに第１挟持部で本発明保持具を挟持する時、ＲＬとＱＬのラインでボタン下方を支持するように取り付けるやり方の他に、第２挟持単片部Ｃ２Ｆ１の板端面ラインと幅広部１１Ｄの左横端面ラインと突起片ＤＰの上端面ラインとからなる凹部でボタンの約半分を包むように支持して取り付けるやり方でもよい。上記２つの取り付け方法によって本発明保持具取り付け状態が安定する。
【００３５】
＜第３実施例＞
図６は本発明の第３実施例を示す斜視図であり、身体衣服に取り付ける場合は、紙面の手前側が身体内部方向と考えれば理解しやすい（図1参照）。この実施例も、相対的に移動する３つの移動体即ち第１移動体３１と第２移動体３２と第３移動体３３からなり、第１移動体３１と第２移動体３２とは第１回動部Ｒ３１にて結合手段である回転軸部品（ネジ）Ｕ３１を介して回動自在に連接し連設する連設体ＡＳ３を形成する。回動部のある側を後部３１Ｒ、３２Ｒ、反対側を前部又は先端部３１Ｆ、３２Ｆと言う。前記連設体ＡＳ３は第１移動体３１の外側縁（淵）から立ち上がる幅広の立ち上がり部３１Ａを延設し、該幅広立ち上がり部３１Ａの中間部に第２回動部Ｒ３２を介して第３移動部が回動自在に連設され、連設体ＡＳＳ３（第３実施例のハイブリッド保持具）が形成される。その詳細を説明する。
【００３６】
前記連設体ＡＳ３は言わば紙等を切るハサミの形態に似ている。鋏と異なるところは切る部分が第１挟持部の各単片部３１Ｆ、３２Ｆの挟持端面同士Ｆ１、Ｆ２を常態で対向当接配置している点である。図右横の断面図ＳＥＣ３に示すように、第１挟持部のペアの１つである先端部３１Ｆの単片部３１Ｆは平板状であるのに対し、単片部３２Ｆはその端面Ｆ２が断面Ｌ型の平板折曲部として図のように当接させている。挟持端面同士Ｆ１、Ｆ２を常態で当接し対向配置するために、前記第１回動部Ｒ３１は弾性復帰手段（コイルバネ）Ｂ３を備える。その保持構造として第２移動体３２の中間部後方（後部３２Ｒ）外側から上方向に立ち上げ形成したコ字状部ＫＯを設けている。
【００３７】
単片部３２ＦのＬ型の内側内壁３２１は前記第１回動部Ｒ３１の回転軸ネジＵ３１に嵌合するコイルバネＢ３の一端部を係止する係止部になっている。前記バネＢ３の他端部Ｂ３２は先端を折り曲げ形成して後部３１Ｒの後方のバネ係止部３１１に係止される。バネ両端のいずれか一方の係止を外し、コイルバネコイル部をコ字状部ＫＯに嵌挿した状態で、回転軸ネジＵ３１をコ字状部ＫＯの上部の貫通孔から挿通され、コ字状部ＫＯを介してコ字状の下面に設けた貫通孔をさらに貫通し、その下に重畳されている第２移動体３２軸部に設けたネジ孔（雌ネジ）に羅着される。その後バネ端を係止する。この構成ゆえ、第１実施例（図２）に示した雌ネジ体Ｕ１２は不要となっている。
上記コ字状部ＫＯでバネ体コイル部を横から嵌挿しつつネジＵ３１を縦から貫通させているので挟持体挟持動作が安定する。
【００３８】
第１挟持部開閉の為の把持部Ｈ１３、Ｈ２３は、第１、第２移動体３１、３２の後端部後端に設けた互いに板厚方向に接近する折曲部にて形成した。第１、第２移動体３１、３２は、第１挟持部開閉に支障がなく、それでいて把持部から先端まで直線になり、尚且つ幅狭になるようになされている。構成的には回転軸とその回転体先端までの各距離（腕の長さ）として、後部対前部の比率が１：３以上にし、把持部から中央に伸びる支持部は末広がり状とした。
前記第２回動部Ｒ３２を介して前記幅広立ち上がり部３１Ａの中間部に回動自在に連結された第３移動体３３は、その前部に該幅広立ち上がり部３１Ａの先端部３１Ｆとペアになる先端部３Ｆを有し、後部の後端に板厚方向に接近する折曲部で形成された把持部Ｈ３３を有する。前記先端部３１Ｆとペアになる前記先端部３Ｆとで第２挟持部Ａ１３を構成する。
【００３９】
第２挟持部Ａ１３はカニのハサミのような形状をしている。第２挟持部Ａ１３の各単片部としての先端部３１Ｆと前記先端部３Ｆにおける挟持端面同士３５、３７を常態で対向当接配置するために、前記幅広立ち上がり部３１Ａからの折曲部ＳＱを第２回動部Ｒ３２のできるだけ近くに設ける。できるだけ近くとは「バネコイル直径以上離れた直近」である。
第２回動部Ｒ３２はバネ端取り付け部のみが第１回動部Ｒ３１と異なるだけでその構成は第１回動部Ｒ３１と同じと言える。バネ端取り付け部分は、第１回動部Ｒ３１のコ字状部ＫＯと同じく、第３移動体３３からコ字状に立ち上げたコ字状部ＫＪとしている。その立ち上げ部は断面で示し、その上の部分は省略してある。組み立てにおいて復帰手段であるバネＢ４のコイル部Ｂ４０を軸孔に持ってくる前に、挟持単片部の先端部３１Ｆの外側に設けたバネ係止部Ｐにコイルバネの一端Ｂ４２を鉤状となるように板厚側に曲げて形成（直線をＬ型に）して係止し、コイルバネの他端Ｂ４４を同様に鉤状に曲げ形成して、第３移動体３３の後端部３３の内側に設けたバネ係止部Ｑに係止し、それから前記幅広立ち上がり部３１Ａ、第３移動部３３を軸孔部において重ねた状態でコイルバネのコイル部Ｂ４３を軸孔まで持ってきてコ字状部ＫＪの上から軸ネジで羅着する構造としている。
【００４０】
把持部Ｈ３３と前記幅広立ち上がり部３１Ａの右根元部とを指等で押下（圧縮）すると、バネＢ４の弾性力に抗して第２挟持部Ａ１３が開く。この第２挟持部Ａ１３の十分な開閉動作をさせるために前記幅広立ち上がり部３１Ａの根元部に切り欠き凹部Ｖを設けている。
該切り欠き凹部Ｖの奥端は第２挟持部Ａ１３の開リミッタでもあり、バネＢ４の力ｇ対変位量ｍｍバネ特性におけるリミッタ（（ばねの変異が元に戻らなくなる手前の位置規制部）となっている。以上の構成によって、第１、第２挟持部による２つの物品又は同一物品２部位保持が可能となるが、この実施例においても、更なる第３の保持ができるようになっている。その構成として第２挟持部Ａ１３に貫通孔ＯＰが設けられる。これでオーナメントの保持を可能とする。その保持については前第１、第２実施例と同様であるのでその説明を略する。前記貫通孔ＯＰは３Ｆ、３１Ｆのいずれに設けてもよい。
【００４１】
＜第４実施例＞
図７は、本発明の第４実施例を示す正面図（図１と同じ取り付け状態）である。図５と部分的に同一であり、同一部分については同一符号を付けて示し、その説明を略する。部品形状を変形したり、部品位置をずらせたりしている部分については、記号の１部をＦ、ｆに変更して示している。なお、第１回動部ＲＲについては、断面図でなく身体に装着した正面から見た図として描いているので、第２実施例（図５）の第１回動部軸構造側面図でもある。
【００４２】
この実施例の特徴は、以下の点に現れている。（イ）第２挟持部の挟持単片部Ｃ２ｆ１、Ｃ２ｆ２とその挟持端面Ｃ１ＴＦ、Ｃ２ＴＦを第１挟持部の先端位置（先端位置から上を見ると第２挟持部があるような位置）に合わせるように配置している点、（ロ）挟持端面Ｃ１ＴＦ、Ｃ２ＴＦが垂直又は垂直近似（７５−８５度）にした点、（ハ）内側挟持単片部Ｃ２ｆ２の先端部ＦＦを第１移動体の後端部（バネ体頂点ＴＰあたり）に向かって突出形成することで、先端部ＦＦに形成される部位（領域）を確保し、そこにオーナメント保持用貫通孔ＯＰを設けた点、（二）先端部ＦＦから内側挟持単片部Ｃ２ｆ２の内側ラインと、幅広部１１Ｄの上面で形成されるラインＲｌと、上端部のみを残したバー状の壁体２１２の下面と、第１移動体の後部又はバネ体ＣＢＤとで形成される空間ＡＡに、本発明保持具が上着ボタン部に装着した際のボタンが嵌るように構成した点、以上が第２実施例と異なっている。
【００４３】
（イ）ではイヤホンコードを装着しやすい。（ロ）ではイヤホンコードを装着しやすくすると共に空間ＡＡを大きく取れる。（ハ）ではオーナメント保持がボタン部合わせ目（表前立ての最外縁Ｌ１）に近くなるのでボタンを一部外したとしてもオーナメントではだけ防止効果が大となる。（二）では本発明保持具の上着ボタン部装着時にボタンを回避できるので、保持具の存在感がほとんどない。その部分が膨らまないから。なお、第１移動体２Ｄの後端部向こう側面（紙面の向こう側）からからバー状（横棒状）の壁体２１２を直角に形成している（壁体２１２が細棒状で壁体２１２をＤにて下から見た後部２ＤＲを含むＤ断面がＬ型をしている）点は、図２の壁体２１のようにほぼ全面を方形で形成するのに比べて軽くすることができる。服のさらに下着や直肌への第２挟持部干渉を避けるためのプロテクタとして必要最小限の形で提供できる。第１、第２実施例でも上記プロテクタとして機能している。
【００４４】
＜第２挟持部の様々な変形例＞
図８は挟持単片部ｆ１、ｆ２からなる第２挟持部の様々な変形例を示した図である。ＯＰはオーナメント保持用の孔である。（ａ）（ｂ）（ｃ）いずれも挟持端面が垂直に形成している例であるが、ボタン対応部が異なっている。（ａ）は図においてボタン対応部が左上（ボタンが左上に位置するように保持具を留めることができる形状）、（ｂ）、（ｃ）はボタン対応部がｆ１の左下、（ｂ）はオーナメント保持孔なし又は別所にある。（ｃ）は前記挟持単片部ｆ１にオーナメント保持孔が形成し得る最も左側に設けた例である。
【００４５】
＜第５実施例＞
図９は、本発明の第５実施例を示す図であり、図９（ａ）は人物の右後上から左前下方向に保持具のみを見た後ろ斜め方向斜視図である。図５や図２と部分的に同一であり、同一部分については同一符号を付けて示し、その説明を略する。部品形状を変形したり、部品位置をずらせたりしている部分については、記号の最後部をＥに変更して示している。なお、第１回動部Ｒ１Ｅ（ＲＲ）については、図５と同一構造を斜視的に表している。図９（ｂ）は復帰バネのみを示した図、図９（ｃ）は第２回動部Ｒ２Ｅ近辺を示した断面図、図９（ｄ）は多機能ガイド部Ｇ１の構造及びガイド時の周辺部材がそれぞれ移動する様子を表した図である。この実施例における特徴は以下のとおり。
【００４６】
１） 挟持単片部１Ｆ、２Ｆからなる第１挟持部Ｃ１Ｅの長手方向に平行して、挟持単片部Ｃ２Ｅ２、Ｃ２Ｅ１からなる第２挟持部Ｃ２Ｅを設けると共に、第２挟持部Ｃ２ＥがＺＺ方向において第１回動部Ｒ１Ｅ（ＲＲ）近傍に位置するよう、第２移動体２Ｅの第１回動部Ｒ１Ｅ（ＲＲ）位置から直角に折曲形成し、延設した幅広部１１Ｅをベースにして第２挟持部Ｃ２Ｅが設けられている。
２） 第２回動部Ｒ２ＥをＺＺ方向で第１回動部ＲＲ近傍（この実施例では同一位置）に設けている。
３） 図５の復帰バネＣＢＤと機能的に同一の復帰バネＢＴＥの一端８２がわ（図２参照）を、第２挟持部Ｃ２Ｅ（第３移動体）へ延長配設することで、第１挟持部の復帰バネと第２挟持部の復帰バネとを一体形成している。
４） ２つのバネガイド部Ｇ１、Ｇ２を設けている。
５） バネガイド部Ｇ１が第１挟持部の開閉操作のガイド部（スムーズ動作ガイド部）Ｇ１を兼用している。しかも上記開閉操作時に上記スムーズ動作ガイド部Ｇ１が、挟持単片部Ｃ２Ｅ１、Ｃ２Ｅ２の各端面ＣＴ１、ＣＴ２が捻じれることなく確実に平行移動し得るようなガイド部（多機能ガイド部）Ｇ１として機能するように構成されている。
【００４７】
第１移動体１Ｅは回動部外側を緩やかな円弧に形成すると共に、回動部円弧の下側を折り曲げ部に向けてなで肩形成した図２と同様なＬ型部材である。図２と異なる点は壁部２１が第１移動体１Ｅに設けられていない点である。第２移動体２Ｅは回動中心から左を見た形がコ字状形をなし、右外から回動中心方向を見た形がΣ型幅広部を有する。壁部２１に代わる平板状のプロテクタＰＲ（回動部やガイド部を分かり易くするため一点鎖線で示す）が第２移動体２Ｅの第１回動部Ｒ１Ｅ（ＲＲ）位置から直角折曲形成される。第２回動部Ｒ２Ｅで連結される第３移動体３Ｅは、下端部にバネ係止部と把持部Ｈ３Ｅを有し、嘴のような第２挟持部Ｃ２Ｅの他方である挟持単片部Ｃ２Ｅ１を前部に有し、回動部寄りにガイド部Ｇ２を有した、鳥の頭のようなＬ型形状をした部材である。
【００４８】
第２回動部Ｒ２Ｅの構造は図の右に部分断面図で示したように第１回動部Ｒ１Ｅ構成から復帰バネＢＴを除いた（不要にした）構造と等価である。図５の当該断面参照しながら図９を見ると、幅広部１１Ｅからフランジ形成した出っ張り筒の内径部ＶＸＥに軸体Ｕ２Ｅを第３移動体３Ｅに開けた丸穴ＶＶＥを介して圧入し、その頭部ＵＴと足端ＢＫと圧着機で圧接している。第１回動部Ｒ１Ｅ、第２回動部Ｒ２Ｅによって図９図示のように第１、第２、第３移動体を組み合わせ、一体成形成復帰バネＢＴＥを上から第２回動部に挿入する。すると首部ＮＫが軸を通過すると同時に各バネ端８１Ｅ、８２Ｅ、ＢＥを各係止部に各バネガイド部Ｇ１、Ｇ２を介して嵌合させることで、連設体ＡＳＳが組みあがる。
【００４９】
第２移動体を上から見るとコ字状形をしている。これが連動して回動する。このコ字状部（プロテクタＰＲと第２挟持部Ｃ２Ｅの他方である挟持端面部Ｃ２Ｅ２）は把持部Ｈ１、Ｈ２（図２参照）により第１回動部を中心として一体に回動するので押圧すると図９（ｄ）で示す矢視方向にそれぞれの部材が動く。Ｇ１は幅広部１１Ｅの下端部を切欠形成したガイド部であり、復帰バネの足（ＢＢ２、ＢＢ３）装着時ガイド及び第１移動体１Ｅと第２移動体２Ｅとの相対移動時の離れ防止ガイドの役目を果たしている。
【００５０】
＜各実施例の把持部変形例＞
図２、図５、図７、図９の実施例構造におけるペアの把持部は移動方向に対し互いに行き違う２本の線路を極限まで接近させたような構造をしているので、図９（ｄ）のようなスライドガイド部を設けることが望ましい。ガイド部を設けなくても把持部押圧時に第１移動体と第２移動体とがぐらつかない構造とは、回動部の周辺も接触状態（軸中心から離れた所も接触して支持）にすればよいのであるが、そうすると、保持具自体が大型化する。これを避けたいので、図９（ｄ）のようなガイド部や全ての実施例における第２挟持部構造のような上記「周辺接触状態可能構造」を実現させた。例えば図５ではＨ３１のすぐ上の細状部を１１とＴ１とで挟持するような構造であるので、「周辺接触状態可能構造」であると言える。図９（ｄ）ガイド部も見方によっては「周辺接触状態可能構造」である。本発明では「軽薄短小」いずれか又はその全てを実現したいので、多機能を１つの部材で果たすようにすれば「軽薄短小」に近づく。そこで図１０のような把持部とガイド部を兼ねた構造を提示する。
【００５１】
図１０は図２を天地逆にした図において、把持部部分を上記の趣旨に沿って変更した構造を示している。第１移動体１と第２移動体２中央部先端寄り折り曲げ部近傍において、第１移動体１に移動方向ＹＹに沿って中央に長孔ＮＡを有する先端鉤状部付把持部Ｈ１Ｆを設け、第２移動体２に移動方向ＹＹに沿って前記中央長孔ＮＡに嵌合しスライドする先端鉤状部Ｈ２Ｋを有する把持部Ｈ２Ｆを設けた構造を提示する。これによると、第１回動部の軸構造を小さく構成しても、移動体移動時に２つの移動体１、２の後部１Ｒ、２ＲがＸＸ方向に離れようとすることを防止することができる。これによると、把持部そのものが移動時離れ防止ガイドを有している構造となっている。また前記先端鉤状部同士Ｈ１Ｋ、Ｈ２Ｋが第１挟持部挟持端面離間最大値を規制するストッパとなっている。また前記先端鉤状部同士Ｈ１Ｋ、Ｈ２Ｋは第１移動体１と第２移動体との組付け時の仮係止部にもなっている。
【００５２】
さらに図２、図５、図７、図９の実施例構造では第１挟持部の挟持端面を合わせ面（接触面）にするために設けた段差部（例えば図９の段差部ＢＰ）があるが、この段差方向を図１０では逆に設けている。内側移動体１を外側移動体２の方へ張り出させることで、第１挟持部用把持部の第１挟持部外側への出っ張り（Ｐ１）を極小に抑えることができる（図２も参照）。さらに第２挟持部用把持部の第１挟持部外側への出っ張り（Ｐ２）をＰ２＜Ｐ１とすることで、第１挟持部を下方とする置き方において、第１挟持部先端と把持部Ｈ１Ｋ、Ｈ２Ｋの３点で安定した置き方ができる。本発明のハイブリッド保持具の更なるハイブリッド化として、第２挟持部に簡単なメッセージ文、例えば「愛と感謝の気持ちを込めてこれをプレゼントします」等を書いたメモ紙を第２挟持部に挟み、オーナメント係止部にオーナメントを係止して（又は別箱）上記三点支持で枕元に置いてプレゼントするとか、直接手渡しするとか、のプレゼンテーションの道具にも使える。
【００５３】
結論として、図１０は図２、図５、図７、図９の実施例構造に置き換え可能であり、その状態において把持部は把持する機能、移動時離れ防止ガイド機能、最大離間防止機能、組付け仮係止機能、支持脚機能を備えている。
また、本発明のハイブリッド保持具の使用例として、カップ麺の湯入れ後に蓋開け用タブ部を第２挟持部に挟み、カップ麺側部から該保持具を垂らすと言う蓋錘に使用できる。
【００５４】
以上、多数の実施例及び本発明使用例を示したが、本発明はこれに限定されない。例えば、使用例において、前立てへの該保持具の装着では、前立ての開き方向が図1（ｂ）と左右異なる場合があるが、その場合は第2挟持部を下にして第1挟持部で裏前立てに装着すればよい。この時ボタンが下、第2挟持部が上と言う配置でこれらを対向配置すれば衣服への保持が確実になり、保持具取り付け状態が回転しにくい。挟持部の回動軸は完全円形の軸構造でなくてもよく、2物突合せの2つの角度の異なる楔構造でもよい。この場合突合せが離れないよう且つ復帰バネ兼用でなるヘアピン型やコ字状バネで当て付ける構造にしてもよい。
【００５５】
図２、図５、図７、図９の実施例において、第１挟持部が直角に曲げられて構成されているが、直角でなくても２０〜１６０度の曲げ構造でもよい。直角の場合は挟持端面が平行を保って開閉され、直角以外の上記曲げ角度仕様でも図６のような直線構造より全体構成が短い、小さいものを作ることができる。図１０において、挟持端面開閉時の捻じれ防止構造として長孔ＮＡに把持部Ｈ２Ｋをスライドさせる構造にしたが、第１実施例図４において把持部Ｈ１、Ｈ２の配置を左右逆構造にするだけで、その水平腕ＡＨ、ＢＨ（第１挟持部Ｃ１Ｆの短手方向部分）の互いに対向する対向面を接近配置にすると突合せスライド面にすることができる。この構造でも第１挟持部が挟持端面開閉時の捻じれ防止構造になる。第２挟持部では把持部Ｈ３の細身部分Ｈ３Ｑと第１移動部の挟持単片部から隆盛した第１幅広部付け根の切り欠き部ＣＣとのスライド構造が挟持回動時のガイド構造になっているので、挟持端面開閉時の捻じれ防止構造であると言える。
【００５６】
本発明の構成は特許請求の範囲に書いたとおりであるが、その請求範囲には次の有効な限定次項が含まれている。それを説明する前に移動体回動機構の安定性、スムーズ回動性について述べる。
第２挟持部軸部構造（Ｒ２等）は広義の意味では軸周辺部構造の如何で安定回動するかどうかが問われる。そこで、この発明ではこの問題についても考察し解決している。図２、図５、図６、図７、図９において第１移動体の単片部から隆盛し且つ前記第１挟持部長手方向と開閉方向に垂直な方向とに幅広に構成した第１幅広部１１、１１Ｄ、３１Ａ、１１ｄ、１１Ｅを設け、これに対向して設けた第２幅広部３Ｗを主要部とする第３移動体を接近対向配置することで、前記第１幅広部に設けた回動部ＶＶ、ＶＥ及びその周辺部ＳＡと前記第２幅広部に設けた回動部ＶＸ、ＶＶＥ及びその周辺部ＳＢとを互いに近接又は摺接配置且つスライド回転可能に結合手段（ネジ等）で結合している。これによって「前記第２挟持部は、その挟持端面同士（Ｃ１Ｔ、Ｃ２Ｔ）、（Ｃ１ＴＤ、Ｃ２ＴＤ）、（３５、３７）、（Ｃ１ＴＦ、Ｃ２ＴＦ）が前記スライド回転方向ＸＺと同方向に開閉するように構成される。」以上上記「」書きは全ての実施例に共通して適応される。
【００５７】
この点を簡単に言うと理論的には対向する２つの板上部材があって、面積が限りなくゼロに近い回動部とそこから一定の等しい距離離れた異なる２点の２枚重ねの２点が層状方向に重なって結合手段により接近状態を維持しつつ板広がり方向に前記回動部を中心として互いに回動する時、前記回動部と前記異なる２点を円周方向につないだパスからなる２層の部分円回動体は、極めて安定した回動動作になる。この部分円回動体が、請求項１記載の１フレーズである「前記第１幅広部と第２幅広部とに前記第２挟持部の回動部とその周辺部を形成し、第１幅広部、第２幅広部の回動部とその周辺部を互いに近接配置且つスライド回転可能に形成した」と言う構成に等価の構成であると言うことができる。この考え方を発展させた構成、即ち前記周辺部を回動体である各移動体の回動中心から最も遠いところの把持部まで延設した実施例が図２、図５、図７、図９の第２挟持体構造、及び図１０を適用した図２、図５、図７、図９の第１挟持体構造に現れている。
【００５８】
この構成を詳しく言うと、
「相対的に蟹鋏開閉式に移動する第１移動体と第２移動体とこれらの移動体のいずれかに付随する第３移動体とを有し、これらの移動体は、各移動体を移動させる把持部と回動移動時に回動移動する回動部と該回動部を回動自在に連結する連結手段と前記回動部が互いに回動することで前記移動体が回動移動しこの回動移動を復帰させる移動復帰手段とを有し、前記回動部に前記連結手段を介して各移動体が回動自在に連設することで前記３つの移動体が連設体を形成し、前記各移動体の各一部を、所定の物品又はその部位を掴む挟持端面を有する挟持単片部として構成し、該挟持端面を対向配置させてそれぞれ形成したペアの挟持単片部で成る第１挟持部と第２挟持部とを前記連設体に有し、前記把持部での力の大小にて前記移動復帰手段に抗して前記２つの挟持部のそれぞれの開閉を促し、前記所定の物品又はその部位を前記2つの挟持部にて挟持するハイブリッド保持具であって、
前記第１移動体と前記第２移動体は（それぞれ各回動部を含む）各後部と各前部とからなり、前記第１移動体と前記第２移動体の各挟持単片部は前記各前部にそれらの端面を互いに向き合い構成として有することで前記第１挟持部を構成し、
前記第１移動部又は前記第２移動部のいずれか一方の単片部から隆盛し且つ前記第１挟持部長手方向と開閉方向に垂直な方向とに幅広に構成した第１幅広部を有し、該第１幅広部に対向する第２幅広部を前記第３移動体に設け、
前記第１幅広部と第２幅広部とに前記第２挟持部の回動部とその周辺部を形成し、第１幅広部、第２幅広部の回動部とその周辺部を互いに近接配置且つスライド回転可能に形成し、前記第２挟持部は、前記スライド回転方向と同方向に開閉する挟持端面を有し、
前記連設体では前記第１挟持部及び第２挟持部を構成する２ペア挟持単片部がそれぞれ回動移動する時、回動方向と同方向のみスライドするスライドガイド部（Ｇ１、ＮＡ、Ｅ１＆Ｅ２、ＣＣ）を前記第１挟持部又は第２挟持部のいずれか１つ又はその両方に対応して設けた」構成であると言うことができる。
【００５９】
＜第６実施例＞
上記構成を維持しつつ、製作容易性及び／又は組み立て容易性をさらに追及した実施例を図１１に示し、説明する。この実施例は図２を上記の意に沿って修正した実施例であって、各パーツのわずかな変形はあるものの同一部分は同一符号番号で示しその詳細説明を省略する。図１１は第１移動体、第２移動体の分解斜視図であり、一部部品が不図示（第３移動体３の把持部Ｈ３など）とされている。第１実施例〜第５実施例にない新たな機能部としてコードガイド又はテーブルナプキンガイドＥＣＨが第２挟持部の先端部に昔の鍵穴のような形状に形成されている。これはイヤホンコードやテーブルナプキンの導入部又は引き出し部として使用する細長切欠部である。ＥＣＨを設けることで、被挟持体（コード等）がより強固に保持される。
タイタックの留め具の後側に位置する壁部２１について説明する。図２では前記第２移動体２のI型後部に直角に隣設するか又は前部（先端部）に直角に隣設するか、あるいはその両方に隣設してもよいと説明した。
前記壁部２１を前記第２移動体２の後部と前部との両方に直角となるよう隣設した場合、前記壁部２１が前記後部と前記前部との固定的接続部（位）の役割を果たすことになるので、前記後部と前記前部とは不連続に形成しつつも固定関係を保つことができる。
【００６０】
一般に第１移動体と第２移動体が各後部と前部とからなる保持具では、暗黙的にそれらを接続する部位が補足されているものとみなすことができる。前記壁部２１を設けずに第１移動体と第２移動体とがＬ型部材で構成される構造又は前記壁部２１を設けるが前記両方でなく一方にのみ隣設構成とした構造の場合、前記後部と前部を接続する部位としてはＬ型部材状の折り曲げ部がこれに相当する。つまり前記後部と前部とは連続体である必要がある。ところが前記「両方に隣設」の場合は、前述のように前記後部と前記前部とは不連続に形成しても、前記壁部２１が前記後部と前部を接続する部位の役割を果たしてくれる。
【００６１】
そこで前記第２移動体２の前記後部と前部との境目の折り曲げ部をなくしてその部分を切り欠き部φ（単なる空間）とし、前記第１移動体１の把持部Ｈ１を折り曲げ部に近いＨ２の位置に形成し、把持部Ｈ２を折り曲げ部より遠い把持部Ｈ１の位置に形成することができる（図１１参照）。これによって前述や後述で明らかなように第１挟持部の回動ガイド機構（安定回動構造／２Ｒの内面と把持部Ｈ２の端面Ｅ２とで１Ｒの外面と把持部Ｈ１の端面Ｅ１とをスライド可能に挟持する構成）を形成することができる。即ち回動軸孔Ｓ１、Ｓ２が重なり、結合手段により回動可能に嵌合され、第１移動体と第２移動体とが回動する時、端面Ｅ１と端面Ｅ２とが互いに規制し合いながら（摺接しながら）移動することになる。但し、図１１では把持部Ｈ１が最終形態でなく折り曲げ直前状態を示していて、矢印ｂｄのように折り曲げて最終形態（点線で図示）となる。そして前記端面Ｅ１、Ｅ２擦れ合い規制するので、図１０の長孔ＮＡと把持部Ｈ２Ｋの関係と同様に把持部Ｈ１、Ｈ２が把持機能と回動時のスライドガイドの機能を果たす。のみならず全移動体の輪郭を一筆書きで書くように設計することができ、それを金型で打ち抜き形成し、プレス加工により折り紙形式にて立体構造にすることができ、それを組み立てることで完成形が構築できる。よって安価に製作することができる。図１１を折り曲げていない平面板状に展開したり、完成形（例えば図２参照）を想像したりすれば、上記の簡易な製造手法が如実に理解できるものと思料する。
【００６２】
このような構成にすれば挟持端面開閉時の捻じれはなくなり、スムーズな挟持体の挟持端面開閉ができる。把持部にやや強い力をかけても、開閉方向のストッパ機構（ＳＴ１とＳＴ２とが当接するリミッタ機構）にて安全である。捻じれ方向についても図１０の長孔ＮＡと把持部Ｈ２Ｋ、図２の把持部Ｈ３の細身部分Ｈ３Ｑと切り欠き部ＣＣに示されているとおり、同様の原理で図１１構造も変形しにくく形成することができる。
【００６３】
前記壁部２１が後部と前部の接続部材としてあるいは肌着や身体のプロテクタとして、さらには多機能部材としての保持部として設けている。この保持機能について追記する。図２、図１１等では凹部ＫＨはタイタックのオーナメント留め具（針を収めて留めるもの）の逃げ部として設けたものであるが、この部分は小型マイク取り付けやＬＥＤ取り付け時のワンタッチ嵌合部として使えるように凹部入り口を奥より狭くして形成している。例えばこの凹部ＫＨにＬＥＤを取り付ける際、図示しないＬＥＤ（保持部）をワンタッチで圧入して取り付け、第１挟持部で頭部に被った帽子の縁に保持具ＨＢＨを取り付けると両手が開くので、この保持具は暗所での作業やサバイバル時のツールにもなる。この場合の電源は胸ポケット等に収める構造にすることで、ＬＥＤ及び保持具ＨＢＨは小型にしつつ長時間点灯可能となる。
【００６４】
図２、図５、図７、図９、図１１の実施例では第１、第２移動体がＬ型に折曲して構成され、その先端部に第１挟持部を設けているので挟持体の向き合い端面は開閉時に平行移動する。よって物体を均等に圧着し得るので都合が良い。もう１つの利点は折曲した方に必要部品である第２挟持部を設けているので、全体を小さく構成することができる。この効果を共有する別構成として正面視において第１、第２移動体をJ型に構成してもよい。Jのくぼみ部に第２挟持部を設ける構成である。U型は起点と終点が回転軸の延長線上になるので物体を挟持するのにしにくいので、少しでもJ形にするほうが良い。
【００６５】
さらにコンパクト化と言う点では、図２、図５、図７、図９、図１１に例示するように第２挟持部（正確には第２挟持部の中心）を、Ｌ型あるいはJ型の第１挟持体を構成するペアの移動体（第１挟持部）の回動軸中心に近づけて配設、又は第２挟持部の先端と第１挟持部の回動軸中心を接近配設（第２挟持部の一部又は全体が第１挟持部の回動軸中心に近づくように配設：図２、図９、図１１参照）すると、全体構成がコンパクト化に寄与する。
【００６６】
以上説明してきたように、本発明のハイブリッド保持具の使用例は、ハンダ付け時の部品保持、身体装着時のイヤホンコード保持、食事時身体上部衣服へのテーブルナプキンホールド、カップ麺蓋錘、実験時の補助具、オーナメント保持等多岐に及ぶ。その際の最大の長所は、常時衣服に所持していて違和感のない形状をしていることである。一例を挙げると、前記テーブルナプキンホールド、カップ麺蓋錘、この２つは食事時で共通し、日常頻繁に行われていることである。さらに出かける時に着飾る１つとしてのオーナメント装着にも違和感なく使用できる。構造的な特徴を言えば、「軽薄短小」のいずれか１つ又は全部を成し遂げたことである。
以上のように、本発明の効果は絶大である。
【符号の説明】
【００６７】
ＨＢＨ、ＨＢＨ１・・・本発明のハイブリッド保持具
ＦＭ・・・表前立て
ＵＭ・・・裏前立て
１、１Ｄ、１Ｅ、３１・・・第１移動体
１Ｆ、３１Ｆ・・・第１移動体の前部（先端部）、第１挟持部の挟持単片部
２Ｆ、３２Ｆ・・・第２移動体の前部（先端部）、第１挟持部の挟持単片部
１Ｒ、２Ｒ、３１Ｒ、３２Ｒ、２ＤＲ、・・・後部
２、２Ｄ、２Ｅ、３２・・・第２移動体
３、３３、３Ｅ・・・第３移動体
ＡＳ、ＡＳＳ・・・連設体
ＣＢ、ＣＢ２、ＣＢＤ、ＢＴＥ・・・バネ体、復帰バネ、コイルバネ、移動復帰手段
ＢＴＥ・・・一体成形成復帰バネ
Ｇ１、Ｇ２・・・バネガイド部
Ｈ１、Ｈ１Ｄ、Ｈ２Ｄ、Ｈ２、Ｈ３、Ｈ３Ｄ、Ｈ１３、Ｈ２３、Ｈ３３、Ｈ３Ｅ、Ｈ１Ｆ、Ｈ２Ｆ、Ｈ１Ｋ、Ｈ２Ｋ・・・把持部、
ＰＲ・・・プロテクタ（壁部２１に相当する）
Ｒ１、ＲＲ、Ｒ３１、Ｒ１Ｅ、Ｒ２、Ｒ２Ｅ、Ｒ３２・・・回動部
Ｒ１、ＲＲ、Ｒ３１、Ｒ１Ｅ・・・第１回動部
Ｒ２、Ｒ２Ｅ、Ｒ３２・・・第２回動部
ＣＢ、ＣＢ２・・・コイルバネ（移動復帰手段）
Ｕ１、Ｕ２、Ｕ１Ｄ、Ｕ３１、Ｕ１Ｅ、Ｕ２Ｅ・・・連結手段（結合手段）、ネジ、軸体Ｕ１ＤＣＢＤ・・・バネ付き軸、連結手段（結合手段）、
ＶＥ・・・幅広部１１Ｅに設けた軸、第３移動体３Ｅ（第２幅広部３Ｗ）の回動軸（回動部）
ＶＶ・・・幅広部１１に設けた軸体(ネジ)Ｕ２を連通する孔、第１幅広部１１の回動部
ＶＶＥ・・・第３移動体３Ｅに開けた丸穴（内径部）、第２幅広部３Ｅの回動部
ＶＸ・・・Ｊ位置に対応した第３移動体３の孔（軸孔）、第２幅広部の回動部
ＶＸＥ・・・第１幅広部１１Ｅに設けた軸体Ｕ２Ｅを連通する孔、
Ｃ１・・・第１挟持部
Ｃ１Ｅ、Ｃ１Ｆ・・・第１挟持部を構成する第１移動体＆第２移動体の先端部
Ａ１３、Ｃ２Ｅ・・・第２挟持部
Ｃ２Ｅ１、Ｃ２Ｅ２、Ｃ２Ｆ１、Ｃ２Ｆ２・・・挟持単片部
Ｃ２Ｆ１、Ｃ２Ｆ２・・・第２挟持単片部
Ｆ１、Ｆ２、Ｃ１１、Ｃ１２、Ｃ１Ｔ、Ｃ１ＴＤ、Ｃ１ＴＦ、Ｃ２Ｔ、Ｃ２ＴＦ、Ｃ２ＴＤ・・・挟持端面
１１、３１Ａ、１１Ｄ、１１ｄ、１１Ｅ・・・第２挟持部の一方としての挟持単片部、第１幅広部
３、３３、３Ｄ、３Ｅ・・・第２挟持部の他方としての挟持単片部
３Ｗ・・・第３移動体の幅広部、第２幅広部
ＳＡ・・・第１幅広部に設けた回動部の周辺部
ＳＢ・・・第２幅広部に設けた回動部の周辺部
ＳＣ・・・第１幅広部と第２幅広部とが対面しスライドするスライド領域の外にあるスライド領域外幅広部
ＹＹ・・・第１挟持部挟持開閉方向
ＺＺ、ＸＸ・・・第１挟持部挟持開閉方向に垂直な方向
ＸＸ・・・第１挟持部の長手方向
１１、１１Ｄ、１１Ｅ・・・壁部１１、幅広部
１１１・・・拡張幅広部
１１、３１Ａ、１１Ｄ、１１ｄ、１１Ｅ・・・第１幅広部
ＳＡ・・・第１幅広部回動部の周辺部、第１幅広部と第２幅広部とが対面しながらスライドするスライド領域
ＳＢ・・・第２幅広部回動部の周辺部、第１幅広部と第２幅広部とが対面しながらスライドするスライド領域
ＳＣ・・・第１幅広部と第２幅広部とが対面しないスライド領域外の幅広部
ＯＮ・・・オーナメント部
ＯＰ・・・孔（貫通孔）、オーナメント保持部
【図１】
2020020434.tif 000003
【図２】
2020020434.tif 000004
【図３】
2020020434.tif 000005
【図４】
2020020434.tif 000006
【図５】
2020020434.tif 000007
【図６】
2020020434.tif 000008
【図７】
2020020434.tif 000009
【図８】
2020020434.tif 000010
【図９】
2020020434.tif 000011
【図１０】
2020020434.tif 000012
【図１１】
2020020434.tif 000013